(57)【要約】【課題】  靴底に突起物を有する靴で歩行するときに、靴底の突起物や靴底の保護及び、歩行面の保護を可能とし、多種多様な靴底の突起物や靴の寸法に対応し、携帯や収納に便利な補助具の提供を課題とする。【解決手段】  靴底の形に形成された、前部と後部に分けられた下層の肉厚で軟質な底部１と、一体とした中層の肉薄で屈曲性に優れた部材２と、前部と後部に分けられた上層の肉薄で耐摩耗性に優れた軟質な部材３による三層構造とした軟質な本体と、帯状部材４と逆Ｔ字型部材５と紐状の伸縮部材６及び、その張力を調整するための機構７を設けた構造とした、靴底に突起物を有する靴の靴底用補助具を提供することで課題を解決出来る。【選択図】  図１
2005270603.tif 000002
【特許請求の範囲】
【請求項１】
靴底の形に形成された、前部と後部に分けられた下層の肉厚で軟質な底部１と、一体とした中層の肉薄で屈曲性に優れた部材２と、前部と後部に分けられた上層の肉薄で耐摩耗性に優れた軟質な部材３とをそれぞれ接着して三層構造とした軟質な本体と、下端を固着し立設した帯状部材４を軟質な本体の前部の左右に一対と後部の左右に一対を設け、軟質な本体の最先端及び最後端に下端を固着し立設した逆Ｔ字型部材５をそれぞれに設け、帯状部材４の上端及び、逆Ｔ字型部材５の上端をそれぞれ環状に縫製した部分に、紐状の伸縮部材６を貫通させ、最後端の逆Ｔ字型部材５の上端に、紐状の伸縮部材６の張力を調整するための機構７を設けた構造を特徴とする、靴底に突起物を有する靴の靴底用補助具。
【請求項２】
軟質な本体が歩行者の体重により、靴底の突起物が軟質な本体の上面に陥没することで靴底の突起物の形が形成され、多くの靴底の突起物の種類に合わせて加工する必要がないこと及び、軟質な本体が歩行中にずれることも防止出来ることを特徴とする、請求項１の靴底に突起物を有する靴の靴底用補助具。
【請求項３】
軟質な本体を前部と後部の境目８の部分で、靴底の形に形成された、一体とした中層の肉薄で屈曲性に優れた部材２を折り畳むことで小型とすることが可能な、請求項１の靴底に突起物を有する靴の靴底用補助具。
【請求項４】
靴底の形に形成された、一体とした中層の肉薄で屈曲性に優れた部材２と、前部と後部に分けられた上層の肉薄で耐摩耗性に優れた軟質な部材３を、双方の性質を有する肉薄で屈曲性及び耐摩耗性に優れた軟質な部材とし、前部と後部に分けられた下層の肉厚で軟質な底部１との接着による二層構造とすることも可能な、請求項１の靴底に突起物を有する靴の靴底用補助具。
【請求項５】
帯状部材４と逆Ｔ字型部材５の下端の固着の方法として、靴底の形に形成された、前部と後部に分けられた上層の耐摩耗性に優れた軟質な部材３の前部と後部で、それぞれ一体とした構造とすることも可能な、請求項１の靴底に突起物を有する靴の靴底用補助具。
【発明の詳細な説明】
【技術分野】
【０００１】  本発明は、靴底に突起物を有する靴の靴底用補助具に関するものである。
【背景技術】
【０００２】  靴底に突起物を有する靴の補助具として、つま先部・突起物の周囲・踵部等を部分的に覆うものや靴底全体を覆うものがある。又、靴への装着の方法として足首付近まで覆うもの又は、靴の甲部をベルトにより固定するものがある。【０００３】  しかし、装着が部分的である場合のもので靴底全体を保護するためには、数種の補助具を装着しなければならなかったり、靴底全体を覆うものでも靴底の突起物の形状に合わせて加工する必要があるために製造コストが高くなる等の問題があった。装着において足首付近まで覆うものは、靴の本来の美観を損なうものや装着に手間の掛かるもの及び、靴の通気性を阻害するものであった。靴の甲部をベルトで固定するものは、固定する位置が一箇所であるために固定が不完全な場合がある等の問題があった。
【特許文献１】    特開２００３−２６５２０１号公報
【特許文献２】    特開平５−８６２０９号公報
【特許文献３】    特開平２−１１９８０１号公報
【特許文献４】    実開昭６４−２３２０２号公報
【発明の開示】
【発明が解決しようとする課題】
【０００４】  靴底に突起物を有する靴は、主にスポーツ用として使用されているが、特に野球・サッカー・陸上競技・ゴルフ・自転車競技等に使用されている。本来の目的及び場所で使用される場合は問題無いが、競技中・練習中以外での歩行では、靴底の突起物の破損や汚損・靴底全体の破損や汚損が発生する場合が考えられる。又、靴底の突起物が硬質である場合に路面・床面・タイル面等が損傷する等の問題が発生する。【０００５】  靴底に突起物を有する靴の靴底の突起物はスポーツの種類により、大きさ・位置・材質・硬さ等や靴の寸法が多種多様であるが、これらの靴底の突起物や靴の寸法に合う様にそれぞれ加工するとすれば、結果的に製造コストが高くなったり、他のスポーツ用の靴に使用出来なかったり、他の靴の寸法に合わない等の問題が発生する。【０００６】  靴底に突起物を有する靴で硬い路面・床面・タイル面等を歩行する時に、靴底の突起物の接地面積が小さい場合や靴底の突起物が硬質である場合に、スリップ事故が発生し歩行者の怪我等につながる問題が発生する。【０００７】  靴底に突起物を有する靴の靴底に補助具を装着するときに、足首まで覆うものは装着に手間が掛かる場合があったり、靴の通気性を阻害したり、靴本来の美観を損なう等の問題もある。【０００８】  靴底に突起物を有する靴で歩行する時に、靴底に突起物の無い靴に交換する等の方法もあるが、同じ大きさの靴を携帯・収納するのは、重い場合や収納場所に困る等の問題がある。
【課題を解決するための手段】
【０００９】  本発明を発明するにあたり、前記課題を解決するために、靴底に突起物を有する靴の靴底の突起物の保護や靴底全体の保護及び、靴底の突起物が硬質である場合に路面・床面・タイル面等の損傷の防止及び、靴底の突起物の多くの種類や多くの靴の寸法に対応し、安価な製造が可能で、硬い路面・床面・タイル面等での歩行者のスリップ事故による怪我等を防止し、靴底への着脱が容易で、通気性もあり靴本来の美観を損なわず、携帯に便利で収納に支障の無い、靴底に突起物を有する靴の靴底用補助具が提供出来ないかと考えた。そして、試作の結果、本発明を完成させた。【００１０】  靴底に突起物を有する靴の靴底用補助具として、靴底の形に形成された、前部と後部に分けられた下層の肉厚で軟質な底部１と、一体とした中層の肉薄で屈曲性に優れた部材２と、前部と後部に分けられた上層の肉薄で耐摩耗性に優れた軟質な部材３とをそれぞれ接着して三層構造とした軟質な本体と、下端を固着し立設した帯状部材４を軟質な本体の前部の左右に一対と後部の左右に一対を設け、軟質な本体の最先端及び最後端に下端を固着し立設した逆Ｔ字型部材５をそれぞれに設け、帯状部材４の上端及び、逆Ｔ字型部材５の上端をそれぞれ環状に縫製した部分に、紐状の伸縮部材６を貫通させ、最後端の逆Ｔ字型部材５の上端に、紐状の伸縮部材６の張力を調整するための機構７を設けた構造を特徴とする、靴底に突起物を有する靴の靴底用補助具を提供することが効果的であると考える。【００１１】  靴底に突起物を有する靴の靴底の突起物の保護や靴底全体の保護及び、靴底の突起物が硬質である場合の路面・床面・タイル面等の損傷を防止するためには、靴底全体において軟質な本体を装着することが効果的である。【００１２】  靴底の突起物の大きさ・位置・材質・硬さ等に対応するために、歩行者の体重により靴底の突起物が軟質な本体の上面に陥没することで靴底の突起物の形が形成され、多くの突起物の種類に合わせて加工する必要がなく、安価な製造を可能とする。又、軟質な本体が歩行中にずれることも防止出来る。多くの靴の寸法に対応するためには、帯状部材４及び逆Ｔ字型部材５と紐状の伸縮部材６及び紐状の伸縮部材６の張力を調整する機構７で構成することにより、紐状の伸縮部材６が伸縮することで、多くの靴の寸法に対応出来る。【００１３】  歩行中のスリップ事故を防止するためには、靴底の形に形成された、前部と後部に分けられた下層の肉厚で軟質な底部１を、軟質な合成樹脂・軟質なゴム又は、軟質な発泡体等を使った成型品とすることで、歩行中のスリップ事故を防止することに効果がある。【００１４】  靴底に突起物を有する靴の靴底に補助具を装着する場合に、帯状部材４及び逆Ｔ字型部材５と紐状の伸縮部材６及び紐状の伸縮部材６の張力を調整する機構７で構成することで、靴への着脱が容易となることや、靴への固定が確実となる。又、靴の周囲の一部のみを覆う形となるので、靴の通気性の阻害や靴本来の美観を損なうことを最少とすることが出来る。【００１５】  靴底に突起物を有する靴を使用中に携帯するときは、軟質な本体を前部と後部の境目８の部分で、靴底の形に形成された、一体とした中層の肉薄で屈曲性に優れた部材２を折り畳むことで���型とすることが可能となり、小袋等に収納することで携帯やポケット等への収納が便利となる。
【発明の効果】
【００１６】  本発明の靴底に突起物を有する靴の靴底用補助具の効果として、靴底に突起物を有する靴の靴底全体に軟質な本体を装着することで、靴底の突起物の保護や靴底全体の保護に効果がある。又、靴底の突起物が硬質の場合であっても歩行時の路面・床面・タイル面等の損傷の防止に効果がある。【００１７】  本発明の靴底に突起物を有する靴の靴底用補助具は、多種多様な靴底に突起物を有する靴の突起物の大きさ・位置・材質・硬さ等や多くの靴の寸法に合わせてそれぞれに加工することを必要としないため、安価での製造が可能となる。【００１８】  本発明の靴底に突起物を有する靴の靴底用補助具の本体を軟質としたことで、歩行中のスリップ事故を防止する効果がある。【００１９】  本発明の靴底に突起物を有する靴の靴底用補助具は、靴への着脱を容易とする構造及び、靴への固定を確実とする構造及び、靴の周囲の一部のみを覆う構造としたことで、靴への着脱が容易であることや、靴への固定が確実であること及び、靴の通気性の阻害や靴本来の美観を損なうことを最少とすることが可能となる。【００２０】  本発明の靴底に突起物を有する靴の靴底用補助具は、折り畳むことが可能な構造であるため小型とすることが可能で、小袋等に収納することで携帯やポケット等への収納が便利となる。【００２１】  本発明の靴底に突起物を有する靴の靴底用補助具を室内用とすることで、靴底に突起物を有する靴の脱ぎ履きが煩雑な場合は、靴底に突起物を有する靴の靴底用補助具を装着することで容易に室内への進入が可能となる。
【発明を実施するための最良の形態】
【００２２】  本発明の靴底に突起物を有する靴の靴底用補助具を実施例として図面に基づいて説明する。本発明は靴底に突起物を有する靴に使用するため靴は左右対称であるので、図面では便宜上、右側の靴底に突起物を有する靴の靴底用補助具のみを図示するものとする。
【実施例１】
【００２３】  靴底の形に形成された、前部と後部に分けられた下層の肉厚で軟質な底部１と、一体とした中層の肉薄で屈曲性に優れた部材２と、前部と後部に分けられた上層の肉薄で耐摩耗性に優れた軟質な部材３とをそれぞれ接着して三層構造とした軟質な本体と、下端を固着し立設した帯状部材４を軟質な本体の前部の左右に一対と後部の左右に一対を設け、軟質な本体の最先端及び最後端に下端を固着し立設した逆Ｔ字型部材５をそれぞれに設け、帯状部材４の上端及び、逆Ｔ字型部材５の上端をそれぞれ環状に縫製した部分に、紐状の伸縮部材６を貫通させ、最後端の逆Ｔ字型部材５の上端に、紐状の伸縮部材６の張力を調整するための機構７を設けた構造を特徴とする、靴底に突起物を有する靴の靴底用補助具である。【００２４】  靴底の形に形成された、前部と後部に分けられた下層の肉厚で軟質な底部１は、軟質な合成樹脂・軟質なゴム又は、軟質な発泡体等で成型するものとする。
【実施例２】
【００２５】  靴底の形に形成された、一体とした中層の肉薄で屈曲性に優れた部材２と、前部と後部に分けられた上層の肉薄で耐摩耗性に優れた軟質な部材３を、双方の性質を有する肉薄で屈曲性及び耐摩耗性に優れた軟質な部材とするならば、前部と後部に分けられた下層の肉厚で軟質な底部１との接着による二層構造とすることも出来る。但し、この場合は肉薄で屈曲性及び耐摩耗性に優れた軟質な部材は靴底の形に形成され一体としたものとする。【００２６】  帯状部材４と逆Ｔ字型部材５の下端の固着の方法として、靴底の形に形成された、前部と後部に分けられた上層の肉薄で耐摩耗性に優れた軟質な部材３の前部と後部で、それぞれ一体とした加工も可能とする。
【図面の簡単な説明】
【００２７】
【図１】実施例１の斜視図。
【図２】実施例１の側面の断面図。
【図３】実施例１を折り畳んだ状態の側面の断面図。
【図４】実施例１の軟質な本体の側面の部分拡大図。
【符号の説明】
【００２８】１    肉厚で軟質な底部
２    肉薄で屈曲性に優れた部材
３    肉薄で耐摩耗性に優れた軟質な部材
４    帯状部材
５    逆Ｔ字型部材
６    紐状の伸縮部材
７    紐状の伸縮部材の張力を調整する機構
８    本体の前部と後部の境目
９    靴底の突起物の例
【図１】
2005270603.tif 000003
【図２】
2005270603.tif 000004
【図３】
2005270603.tif 000005
【図４】
2005270603.tif 000006